(57)【要約】【課題】  小型・軽量であって、耐久性及び組立の作業性に優れた靴紐巻取装置用の靴紐巻取用リールを提供すること。【解決手段】  本発明は、靴Ｓに固定されるベース部材３のリール収納部３２内に収納され、ダイヤル６によって回転駆動される靴紐巻取用リール４であって、ワイヤー状の靴紐２を巻き取る筒体４１ａと、その両端部に形成したフランジ部４１ｂとからなる靴紐巻取ドラム４１と、前記靴紐巻取ドラム４１の内側に配置された回転軸部４２と、前記靴紐巻取ドラム４１の内周面と前記回転軸部４２の外周面とを連結する環状部４３と、前記靴紐巻取ドラム４１と前記回転軸部４２と前記環状部４３とによって形成される環状の溝部４４とを備え、前記靴紐巻取ドラム４１の外周面側から前記溝部４４内に導入される靴紐２の先端部を挟み込んで当該溝部４４内に保持する係止突起４５を当該溝部４４内に設けた靴紐巻取用リール４である。【選択図】図１
2015000297.tif 000002
【特許請求の範囲】
【請求項１】
靴に固定されるベース部材のリール収納部内に収納され、ダイヤルによって回転駆動される靴紐巻取用リールであって、
樹脂、金属又はそれらの複合材からなるワイヤー状の靴紐を巻き取るための大径の筒体と、当該筒体の両端部に形成したフランジ部とからなる靴紐巻取ドラムと、
前記靴紐巻取ドラムの内側に配置された小径の筒体からなる回転軸部と、
前記靴紐巻取ドラムの内周面と前記回転軸部の外周面とを連結する環状部と、
前記靴紐巻取ドラムと前記回転軸部と前記環状部とによって形成される環状の溝部と
を備え、
前記靴紐巻取ドラムの外周面側から前記溝部内に導入される靴紐の先端部を挟み込んで当該溝部内に保持するための係止突起を当該溝部内に設けたことを特徴とする靴紐巻取用リール。
【請求項２】
前記係止突起は、靴紐巻取ドラムの内周面から前記溝部内に突設され、前記回転軸部との間に靴紐を挟み込むことができるものであることを特徴とする請求項１に記載の靴紐巻取用リール。
【請求項３】
前記靴紐巻取ドラムは、その筒体にワイヤー挿通孔が透設されており、当該ワイヤー挿通孔に挿通された靴紐の先端側を前記係止突起が保持するものであることを特徴とする請求項１又は２に記載の靴紐巻取用リール。
【請求項４】
前記ワイヤー挿通孔に挿通された靴紐の先端側を軸心方向外側へ案内するスロープを、前記靴紐巻取ドラムの内周面又は前記回転軸部の外周面に沿った前記溝部内に形成したことを特徴とする請求項３に記載の靴紐巻取用リール。
【請求項５】
前記係止突起は、前記溝部内において約１８０度離間した位置に各１個配置され、それらの間に前記ワイヤー挿通孔が配置されており、前記スロープは、前記ワイヤー挿通孔と前記係止突起との間の位置に配置されていることを特徴とする請求項４に記載の靴紐巻取用リール。
【発明の詳細な説明】
【技術分野】
【０００１】
本発明は、靴紐巻取装置に内蔵される靴紐巻取用リールに関するものであって、スキー、スノーボード、スケート、山登り、バイク乗車用のブーツのみならず、ゴルフやジョギングなどに使用する運動靴、さらには、ビジネスシューズといった一般的な靴の靴紐を締め付けるのにも適した靴紐巻取用リールに関するものである。
【背景技術】
【０００２】
従来、スキー、スノーボード、スケートなどに使用するブーツの靴紐を締め付けるために、ダイヤル（円盤状のつまみ）を回転することによって靴紐を巻き付けることができる靴紐巻取装置が提案されている（特許文献１、特許文献２、特許文献３）。
【０００３】
これらの靴紐巻取装置に使用する靴紐としては、樹脂と金属の複合材であって強度に優れ、摩擦係数が低く滑りやすいワイヤー状の靴紐を使用しており、それらの靴紐の両端部を靴紐巻取装置に内蔵される靴紐巻取用リールに固定している。
従って、このような靴紐を靴紐巻取用リールに縛り付けることで固定するには、靴紐を強く締め付けてもリールから靴紐の端部が外れないように、靴紐の端部を長めに残す必要がある。
【０００４】
しかしながら、靴紐巻取装置の内部には、靴紐を巻き取るためのギヤ機構とか、靴紐を巻き取った状態で維持するためのロック機構や、そのロックを解除するための機構などが収納されており、靴紐巻取用リールから靴紐の端部が飛び出して靴紐巻取装置の内部機構と干渉し、靴紐巻取装置の動作に支障が生じたり、装置が故障し易いという問題がある。
【０００５】
特に、このような問題は、摩擦係数が低く滑りやすいワイヤー状の靴紐を使用する靴紐巻取装置を小型化することでより深刻となるため、靴紐巻取装置の小型化を妨げる要因ともなっていた。
【０００６】
さらに、このような靴紐巻取装置に内蔵される靴紐巻取用リールにおいては、小型化と耐久性の向上に加え、組み付け作業を行い易くすることが求められており、これらの課題を解決することが、より多種多様な靴に靴紐巻取装置を採用するために必要である。
【先行技術文献】
【特許文献】
【０００７】
【特許文献１】特許第４１７１７７４号公報
【特許文献２】特許第４５３８８３６号公報
【特許文献３】特開２０１０−１４８９２７号公報
【発明の概要】
【発明が解決しようとする課題】
【０００８】
そこで、本発明が解決しようとする課題は、従来の靴紐巻取用リールにおいては、靴紐の端部が飛び出して靴紐巻取装置の内部機構と干渉し、靴紐巻取装置の動作に支障が生じたり、装置が故障することがあり、靴紐巻取装置の耐久性及び信頼性を損ねているということであり、本発明の目的は、靴紐巻取用リールに靴紐の端部を簡単かつ確実に固定することができ、靴紐巻取装置及び靴紐巻取用リールの小型化と耐久性を向上させることができ、さらには、組み付け作業を行い易く、より多種多様な靴に用いることができる靴紐巻取装置に内蔵される靴紐巻取用リールを提供することにある。
【課題を解決するための手段】
【０００９】
本発明は、「靴に固定されるベース部材のリール収納部内に収納され、ダイヤルによって回転駆動される靴紐巻取用リールであって、
樹脂、金属又はそれらの複合材からなるワイヤー状の靴紐を巻き取るための大径の筒体と、当該筒体の両端部に形成したフランジ部とからなる靴紐巻取ドラムと、
前記靴紐巻取ドラムの内側に配置された小径の筒体からなる回転軸部と、
前記靴紐巻取ドラムの内周面と前記回転軸部の外周面とを連結する環状部と、
前記靴紐巻取ドラムと前記回転軸部と前記環状部とによって形成される環状の溝部と
を備え、
前記靴紐巻取ドラムの外周面側から前記溝部内に導入される靴紐の先端部を挟み込んで当該溝部内に保持するための係止突起を当該溝部内に設けたことを特徴とする靴紐巻取用リール。」を最も主要な特徴とするものである。
【００１０】
前記係止突起は、靴紐巻取ドラムの内周面から前記溝部内に突設され、前記回転軸部との間に靴紐を挟み込むことができるものであってもよい。
【００１１】
前記靴紐巻取ドラムは、その筒体にワイヤー挿通孔が透設されており、当該ワイヤー挿通孔に挿通された靴紐の先端側を前記係止突起が保持するものであってもよい。
【００１２】
また、前記靴紐巻取用リールは、前記ワイヤー挿通孔に挿通された靴紐の先端側を軸心方向外側へ案内するスロープを、前記靴紐巻取ドラムの内周面又は前記回転軸部の外周面に沿った前記溝部内に形成したものであってもよい。
【００１３】
さらに、前記係止突起は、前記溝部内において約１８０度離間した位置に各１個配置され、それらの間に前記ワイヤー挿通孔が配置されており、前記スロープは、前記ワイヤー挿通孔と前記係止突起との間の位置に配置されているものであってもよい。
【発明の効果】
【００１４】
上記のように構成した本発明の靴紐巻取用リールにおいては、溝部内に設けた係止突起によって靴紐の端部を溝部内に簡単かつ確実に保持することができ、靴紐の端部が靴紐巻取ドラムから外れてしまうことを防止できる。
【００１５】
さらに、靴紐の端部を長めに残す必要がないため、靴紐巻取用リールから靴紐の端部が飛び出して靴紐巻取装置の内部機構と干渉し、靴紐巻取装置の動作に支障が生じたり、装置が故障するということを確実に防止することができる。
よって、靴紐巻取装置の小型・軽量化及び信頼性・耐久性の向上を図ることができる。
【００１６】
前記係止突起を、靴紐巻取ドラムの内周面から前記溝部内に突設され、前記回転軸部との間に靴紐を挟み込むことができるものとすることで、靴紐巻取用リールの溝部内に収まりよく靴紐の端部を保持することができる。
【００１７】
前記靴紐巻取ドラムの筒体にワイヤー挿通孔を透設し、当該ワイヤー挿通孔に挿通された靴紐の先端側を前記係止突起によって保持することで、靴紐巻取用リールに対する靴紐の取付状態を強固なものとすることができるばかりか、取付作業効率を優れたものとすることができる。
【００１８】
また、前記ワイヤー挿通孔に挿通された靴紐の先端側を軸心方向外側へ案内するスロープを前記溝部内に形成したものとすることで、靴紐巻取用リールから靴紐の端部を引き出して前記ワイヤー挿通孔に靴紐を挿通して縛り付ける作業の効率をより一層優れたものとすることができる。
【００１９】
前記係止突起を、前記溝部内において約１８０度離間した位置に各１個配置し、それらの間に前記ワイヤー挿通孔を配置し、前記スロープを前記ワイヤー挿通孔と前記係止突起との間の位置に配置することで、靴紐巻取用リールに対する靴紐の取付をバランスよく行うことができ、靴紐巻取装置をより一層小型・軽量化することが可能となるばかりか、信頼性・耐久性を極めて優れたものとすることができる。
【図面の簡単な説明】
【００２０】
【図１】図１は本発明を具体化した靴紐巻取用リールを内蔵した靴紐巻取装置を装着した靴の斜視図、及び、靴紐巻取装置の構成部品を示す斜視図である。
【図２】図２は本発明を具体化した靴紐巻取装置に内蔵される靴紐巻取用リールを示す図であって、（ａ）は正面図、（ｂ）は平面図、（ｃ）は背面図、（ｄ）はＡ−Ａ断面図、（ｅ）は側面図、（ｆ）はＢ−Ｂ断面図である。
【図３】図３は靴紐巻取装置のベース部材と、本発明を具体化した靴紐巻取用リールを示す斜視図である。
【図４】図４は本発明を具体化した靴紐巻取用リールと靴紐の端部を示す図であって、（ａ）は斜視図、（ｂ）及び（ｃ）は断面図である。
【図５】図５は本発明を具体化した靴紐巻取用リールを内蔵した靴紐巻取装置を示す図であって、（ａ）はダイヤルがロック位置にある状態を示す断面図、（ｂ）はダイヤルが解除位置にある状態を示す断面図である。
【図６】図６は本発明を具体化した靴紐巻取用リールを内蔵した靴紐巻取装置のダイヤルに軸部材を組み付ける際の様子を示す断面図である。
【発明を実施するための形態】
【００２１】
本発明は、「靴に固定されるベース部材のリール収納部内に収納され、ダイヤルによって回転駆動される靴紐巻取用リールであって、
樹脂、金属又はそれらの複合材からなるワイヤー状の靴紐を巻き取るための大径の筒体と、当該筒体の両端部に形成したフランジ部とからなる靴紐巻取ドラムと、
前記靴紐巻取ドラムの内側に配置された小径の筒体からなる回転軸部と、
前記靴紐巻取ドラムの内周面と前記回転軸部の外周面とを連結する環状部と、
前記靴紐巻取ドラムと前記回転軸部と前記環状部とによって形成される環状の溝部と
を備え、
前記靴紐巻取ドラムの外周面側から前記溝部内に導入される靴紐の先端部を挟み込んで当該溝部内に保持するための係止突起を当該溝部内に設けたことを特徴とする靴紐巻取用リール」であって、以下において説明する実施形態などにより好適に具体化することができる。
【００２２】
以下、本発明の靴紐巻取用リールを備えた靴紐巻取装置を運動靴に装着した一実施形態について説明する。
【００２３】
図１は、靴紐巻取装置１を足首と対応する位置に装備した靴Ｓを示し、この靴Ｓは、樹脂被覆された金属製のワイヤーからなる靴紐２によって靴Ｓの甲部を締め付けることができるようになっている。
【００２４】
靴紐巻取装置１は、ベース部材３と、前記靴紐２を巻き取るための靴紐巻取用リール４と、靴紐巻取用リール４の回転及び停止を制御するためのストッパー部材５と、前記靴紐巻取用リール４を回転駆動するためのダイヤル６と、前記ダイヤル６と前記ストッパー部材５とを前記ベース部材３に装着するために前記ベース部材３に対して回転自在に固定される軸部材７と、当該軸部材７にて一端部が軸支されたバネ部材８などから構成されている。
【００２５】
前記ベース部材３は、薄板状のＵ字形フランジ３１が前記靴Ｓに縫い付け固定されることで靴紐巻取装置１を靴Ｓに固定することができるものであって、前記靴紐巻取用リール４を回転可能に収納するための有底円筒状のリール収納部３２を備えている。
【００２６】
前記リール収納部３２は、その底部中央に前記靴紐巻取用リール４を軸支するための回転軸３３が突設されており、また、内周面にはギヤ３４が形成されている。
このギヤ３４は、前記ストッパー部材５に形成した爪５１と協働してラチェット機構を構成し、靴紐２を巻き付ける方向（正回転）にのみ前記爪５１が移動できるように、断面が「のこぎり波」状に形成されている。
【００２７】
さらに、前記ベース部材３には、前記リール収納部３２の底部に開口する靴紐引出口３５が２ヶ所形成され、前記靴紐巻取用リール４に巻き付けられた靴紐２を前記リール収納部３２から外部に引き出すことができるようになっている。
【００２８】
前記靴紐巻取用リール４は、靴紐２を巻き取るための靴紐巻取ドラム４１と、前記靴紐巻取ドラム４１の内側に配置された回転軸部４２と、前記靴紐巻取ドラム４１の内周面と前記回転軸部４２の外周面とを連結する環状部４３と、前記靴紐巻取ドラム４１と前記回転軸部４２と前記環状部４３とによって形成される環状の溝部４４とを備えている。
前記靴紐巻取ドラム４１は、靴紐２を巻き取るための大径の筒体４１ａと、当該筒体４１ａの両端部に形成したフランジ部４１ｂとから構成され、前記回転軸部４２は、前記靴紐巻取ドラム４１の内側に配置された小径の筒体から構成されている。
【００２９】
前記回転軸部４２の内面側には、前記ベース部材３の前記回転軸３３が挿入され、リール収納部３２内にて靴紐巻取用リール４が回転可能となっている。
前記リール４の前記溝部４４は、ベース部材３の底部に面する側（以後、説明の便宜上「下側」といい、その反対側を「上側」という。）に配置され、前記靴紐巻取ドラム４１の外周面側から前記溝部４４内に導入される靴紐２の先端部を挟み込んで当該溝部４４内に保持するための係止突起４５を当該溝部４４内に設けたものとなっている。
【００３０】
前記係止突起４５は、靴紐巻取ドラム４１の内周面であって前記溝部４４の上縁近傍位置から前記溝部４４内に突設され、前記回転軸部４２との間に靴紐２を挟み込み、溝部４４の底部側（環状部４３側）に靴紐２を押さえ込んで保持することができるようになっている。
前記靴紐巻取用リール４は、前記ワイヤー挿通孔４７に挿通された靴紐２の先端側を軸心方向外側（溝部４４の上方）へ案内するスロープ４８を前記靴紐巻取ドラム４１の内周面に沿った前記溝部４４内に形成したものとなっている。
前記係止突起４５は、前記溝部４４内において約１８０度離間した位置に各１個配置され、それらの間に前記ワイヤー挿通孔４７が３個配置されており、前記スロープ４８は、前記ワイヤー挿通孔４７と前記係止突起４５との間の位置に配置されている。
前記靴紐巻取用リール４の上側には、前記靴紐巻取ドラム４１の内周面に沿って複数のフィン４６が形成されており、前記ストッパー部材５の下側に形成されたフィン５２と噛合することで、ダイヤル６の回転を靴紐巻取用リール４に伝達できるようになっている。
【００３１】
前記ストッパー部材５は、その四隅に突設した取付用爪部５３が前記ダイヤル６に透設した係合穴６１に係合することで、前記ダイヤル６の内側（下側）に嵌合してダイヤル６と一体化するものであり、前記リール４と前記ダイヤル６との間に介在してダイヤル６の回転を靴紐巻取用リール４に伝達できるロック状態と、靴紐巻取用リール４が自由に回転できるようにダイヤル６から靴紐巻取用リール４を切り離した解除状態とを実現することができるようになっている。
【００３２】
前記軸部材７は、一体化した前記ダイヤル６とストッパー部材５とを前記ベース部材３に対して回転自在に装着するために、ネジ９によって前記ベース部材３に固定されるものであって、一体化した前記ダイヤル６とストッパー部材５とを前記ベース部材３に接近させたロック位置と当該ベース部材３から離した解除位置との間で移動可能な状態で保持し案内することができるようになっている。
【００３３】
前記軸部材７は、四角柱状に形成されており、その軸心方向と直交する方向にて当該軸部材の対向する２つの側部を切り欠いて形成した軸受部７１に対し、前記バネ部材８に形成した直線状の一端部（軸部８１）が挿入されることで、当該バネ部材８を回動可能に軸支するようになっている。即ち、前記バネ部材８は、前記軸部材７の約１８０度離間した位置に各１個配置されている。
【００３４】
さらに、前記軸部材７が四角柱状であるため、前記軸受部７１の強度を高め、前記軸部材７の小型化にも資することができる。
また、前記軸部材７の前記軸受部７１は、型抜きを考慮して中央部付近の内径が最も小さく形成されている。
【００３５】
前記バネ部材８は、全体が略Ｕ字形に湾曲形成されており、湾曲した他端側のバネ部８２が、一体化した前記ダイヤル６とストッパー部材５の内面に設けた係止部６２に当接するようになっている。
前記バネ部材８の他端部（バネ部８２）が当接する前記係止部６２は、前記ダイヤル６とストッパー部材５の境界部分に楔状に形成したバネ収納空間６３の外端最狭部に設けられている。
そして、この一体化した前記ダイヤル６とストッパー部材５がロック位置から解除位置まで移動することで、靴紐巻取用リール４をロック状態から解除状態に切替可能としている。
【００３６】
さらに、当該ロック位置と解除位置との間の位置に前記バネ部材８のバネ部８２が最も軸部材側に圧縮される反転位置が存在するように設定されている。
前記ダイヤル６の上側には、円盤状のキャップ１０が嵌合して靴紐巻取装置１内部にゴミなどが入り込まないようになっている。
【００３７】
なお、キャップ１０の中央部には透孔１１が形成されており、この透孔１１を介してキャップ１０の内側（下側）のネジ９を操作してベース部材３から靴紐巻取用リール４、ダイヤル６、軸部材７を取り外せるようになっている。
【００３８】
樹脂及び金属の複合材からなるワイヤー状の靴紐２としては、直径０．１１〜０．１３ｍｍのステンレス製の素線を４９本撚り合わせたワイヤーロープにスウェージングマシンにて加工を加え、ナイロン樹脂にて被覆したものを好適に用いることができる。
【００３９】
次に、上記にて説明した靴紐巻取装置１の各部品を組み付けて製造する方法について説明する。
まず、靴紐巻取装置１のベース部材３に靴紐巻取用リール４を装着するため、２ヶ所の靴紐引出口３５にそれぞれ靴紐２の先端を挿入し、リール収納部３２側からその靴紐２の両端部を引き出す。
そして、靴紐巻取用リール４に６ヶ所設けたワイヤー挿通孔４７に靴紐２の先端を縫うようにして順次挿通し、さらに溝部４４内の係止突起４５によって挟み込むようにすることで、靴紐２の両端を靴紐巻取用リール４に対して簡単かつ確実に固定することができる。その後、靴紐巻取用リール４をリール収納部３２内に配置する。
この靴紐２をワイヤー挿通孔４７に挿通する方法としては、例えば、図４（ｂ）に示す方法と、図４（ｃ）に示す方法が挙げられる。
何れの方法による場合であっても、前記ワイヤー挿通孔４７に挿通された靴紐２の先端は、スロープ４８によって靴紐巻取用リール４の軸心方向外側へ、即ち、溝部４４の外側へ案内されるため、靴紐２の先端を次の前記ワイヤー挿通孔４７へ挿通する作業を迅速に行うことができる。
【００４０】
次に、ストッパー部材５をダイヤル６の内側（下側）に嵌合することで、ストッパー部材５をダイヤル６と一体化させ、それらに軸部材７及びバネ部材８を組み付ける。
【００４１】
この場合、前記バネ部材８は、前記軸部材７が前記ダイヤル６に形成された略四角形状の軸穴６４とストッパー部材５に形成された略四角形状の軸穴５４に挿入されるのであるが、当該バネ部材８のバネ部８２がダイヤル６の軸穴６４を拡げた拡張部から前記バネ収納空間６３に挿入され、さらに当該バネ部８２がバネ収納空間６３の内端側から外端最狭部側へ回動するように案内されて前記ダイヤル６に組み付けられる。
なお、軸部材７の上端部に形成したフランジ７２がダイヤル６の軸穴６４の縁に形成した係止段部６５に当接するため、ダイヤル６が軸部材７から外れることはない。
【００４２】
前記バネ部材８のバネ部８２がバネ収納空間６３の内端側から外端最狭部側へ回動するように案内されるのは、ストッパー部材５の軸穴５４の縁に上側（ダイヤル側）を向いた斜面５５が形成されているためである。
【００４３】
上記手順にてストッパー部材５、ダイヤル６、軸部材７及びバネ部材８を組み付けた後、ネジ９を軸部材７の軸心に沿って透設したネジ挿入孔７３に挿通し、軸部材７などをベース部材３に装着する。
【００４４】
最後にキャップ１０をダイヤル６に嵌め込むことで、靴紐巻取装置１を組み付けることができる。
メンテナンス又は修理のために靴紐巻取装置１を分解する際には、キャップ１０の透孔１１からネジ回しを挿入し、ネジ９を外すことで、組み付けられたストッパー部材５、ダイヤル６、軸部材７及びバネ部材８をベース部材３から取り外すことができる。
【００４５】
メンテナンス又は修理が必要な場合としては、靴紐２が切断した場合、又はリール収納部３２内で靴紐２が絡まった場合が多いため、ストッパー部材５、ダイヤル６、軸部材７及びバネ部材８が組み付けられたままベース部材３から取り外すことができることは、メンテナンス又は修理作業を効率化する上で極めて有効である。
【００４６】
なお、本実施形態の靴紐巻取装置１において各部材を構成する材料としては、強度、耐久性、弾力性などを考慮し、一例として以下のものを用いたが、これらの材料に限定されるものではない。
ベース部材３・・・ナイロン
靴紐巻取用リール４、ストッパー部材５、軸部材７・・・ＰＯＭ（ポリアセタール）
ダイヤル６・・・ナイロンとその周囲にＴＰＥ（熱可塑性エラストマー）
バネ部材８・・・ステンレス鋼
ネジ９・・・炭素鋼
キャップ１０・・・ＡＢＳ樹脂
【００４７】
上記のように構成された靴紐巻取装置１の使用方法について説明する。
靴Ｓを履いた後に、靴紐２を締め付けるには、靴紐巻取装置１のダイヤル６を前記ベース部材３に接近させたロック位置にてダイヤル６を回転操作し、靴紐２を靴紐巻取用リール４に巻き付ける。
この場合、ストッパ部材５の爪５１がギヤ３４に当接することで、靴紐２が緩む方向に靴紐巻取用リール４が回転することはない。
【００４８】
また、ロック位置と解除位置の間の位置に前記バネ部材８が最も圧縮される反転位置を設定してあるため、ダイヤル６がロック位置にある状態では、バネ部材８が図５の左側に示す状態となっており、ダイヤル６をロック位置に保持する。
この時、バネ部材８は、軸部材７を持ち上げダイヤル６を下に押さえる方向を向いている。
【００４９】
次に、靴紐２の締め付けを緩めるには、靴紐巻取装置１のダイヤル６を上側へ引く。
この時、バネ部材８は圧縮され、その反発力に抗してさらに上側にダイヤル６を引くことで、前記バネ部材８が最も圧縮される反転位置を越え、当該ロック位置と解除位置との間でバネ部材８が圧縮される方向が切り替わることにより、ダイヤル６をベース部材３から離した解除位置に移動させる（図５の右側に示す状態）。
この時、バネ部材８は、軸部材７を下に押さえダイヤル６を持ち上げる方向を向いている。
【００５０】
当該バネ部材８の他端部（バネ部８２）は、前記ダイヤル６の内面に設けた係止部６４と常時当接しており、部品の摩耗を防ぐことができる。
【００５１】
バネ部材８がロック位置と解除位置との間で明確に切り替わるため、操作性に優れるばかりか、前記ダイヤル６位置の状態を把握することも容易である。
上記のように前記ダイヤル６がロック位置から解除位置に移動すると、靴紐巻取用リール４のフィン４６とストッパー部材５のフィン５２との噛合が解除され、靴紐巻取用リール４が自由に回転できるようになり、靴紐２が緩められる。
【００５２】
逆に、前記ダイヤル６を解除位置からロック位置に移動させるように下方へ押さえ付けると、前記バネ部材８が最も圧縮される反転位置を逆向きに越え、靴紐巻取用リール４のフィン４６とストッパー部材５のフィン５２とが再び噛合することとなるため、靴紐巻取用リール４に靴紐２を巻き取って靴紐２を締め付けることが可能となる。
【００５３】
なお、本明細書中において、「ダイヤル」とは、靴紐巻取用リール４を回転駆動するための操作部として機能するものであれば特に形状が限定されるものではなく、多角形状のものであってもよい。
【００５４】
本発明は図示した例のように配線した靴紐２を締め付けるための靴紐巻取装置１用の靴紐巻取用リールに限定されるものではなく、靴Ｓの異なる部分を締め付ける靴紐２を締め付けるための靴紐巻取装置に内蔵されるものとして具体化して実施してもよい。
【００５５】
さらに、本発明の趣旨を逸脱しない範囲で靴紐巻取装置及び靴紐巻取用リールの各部の材質、形状、寸法、角度、設置位置、大きさ、数などを適宜変更して実施してもよい。
例えば、係止突起４５を回転軸部４２側から溝部４４内に突設して実施したり、スロープ４８を回転軸部４２の外周面に沿うようにして設けて実施してもよい。
【産業上の利用可能性】
【００５６】
本発明は、小型・軽量であって、耐久性及び組立の作業性に優れ、多種多様な靴に手軽に用いることができる靴紐巻取装置に内蔵される靴紐巻取用リールとして好適に利用可能である。
【符号の説明】
【００５７】
１    靴紐巻取装置
２    靴紐
３    ベース部材
３１  フランジ
３２  リール収納部
３３  回転軸
３４  ギヤ
３５  靴紐引出口
４    靴紐巻取用リール
４１  靴紐巻取ドラム
４１ａ  筒体
４１ｂ  フランジ部
４２  回転軸部
４３  環状部
４４  溝部
４５  係止突起
４６  フィン
４７  ワイヤー挿通孔
４８  スロープ
５    ストッパー部材
５１  爪
５２  フィン
５３  取付用爪部
５４  軸穴
５５  斜面
６    ダイヤル
６１  係合穴
６２  係止部
６３  バネ収納空間
６４  軸穴
６５  係止段部
７    軸部材
７１  軸受部
７２  フランジ
７３  ネジ挿入孔
８    バネ部材
８１  軸部（一端部）
８２  バネ部（他端部）
９    ネジ
１０    キャップ
１１    透孔
Ｓ    靴
【図１】
2015000297.tif 000003
【図２】
2015000297.tif 000004
【図３】
2015000297.tif 000005
【図４】
2015000297.tif 000006
【図５】
2015000297.tif 000007
【図６】
2015000297.tif 000008